(57)【要約】【課題】コピー機能やスキャナ機能を発揮させる際に操作性及び作業性に優れている画像読取装置及び画像読取方法を提供する。【解決手段】原稿Ｐの表面情報を読み取る第一スキャナ１と、原稿Ｐの裏面情報を読み取る第二スキャナ２と、を備えた画像読取装置Ｚにおいて、第二スキャナ２で読み取られた原稿Ｐの裏面に記されたマークを認識して処理内容を決定する認識手段を設けた。このマークは所定範囲の濃度又は輝度で記されており、表面情報の裏移りを防止するとよい。また、このマークは特定波長の光と反応して消色するインクを用いて記したり、加熱して消色するインクを用いたりするとよい。原稿Ｐの裏面の記載エリアを広げるためである。【選択図】図１
2009159552.tif 000002
【特許請求の範囲】
【請求項１】
原稿の表面情報を読み取る第一スキャナと、原稿の裏面情報を読み取る第二スキャナと、を備えた画像読取装置において、
第二スキャナで読み取られた原稿の裏面情報を認識して処理内容を決定する認識手段を備えている
ことを特徴とする画像読取装置。
【請求項２】
請求項１に記載の画像読取装置において、
前記認識手段は、第二スキャナで読み取った裏面情報に記されたマークを認識して処理内容を決定する手段である
ことを特徴とする画像読取装置。
【請求項３】
請求項１に記載の画像読取装置において、
前記処理内容を記憶する記憶手段を備えている
ことを特徴とする画像読取装置。
【請求項４】
請求項１に記載の画像読取装置において、
前記処理内容を変更する変更手段を備えている
ことを特徴とする画像読取装置。
【請求項５】
請求項１に記載の画像読取装置において、
前記裏面情報に基づいて選択された処理内容を表示するための表示手段を有する
ことを特徴とする画像読取装置。
【請求項６】
請求項１に記載の画像読取装置において、
他の機器の処理内容を決定するために、他の機器を接続又は内蔵するためのインターフェースが設けられている
ことを特徴とする画像読取装置。
【請求項７】
請求項１に記載の画像読取装置において、
ネットワークに接続するためにインターフェースが設けられている
ことを特徴とする画像読取装置。
【請求項８】
請求項１に記載の画像読取装置において、
画像読取専用装置である
ことを特徴とする画像読取装置。
【請求項９】
請求項１ないし請求項８のいずれかに記載の画像読取装置を搭載していることを特徴とする複写機、プリンタ、ファクシミリ又はこれらの複合機。
【請求項１０】
請求項１ないし請求項９のいずれかに記載の画像読取装置を用いた画像読取方法において、
前記裏面情報として、所定範囲の濃度又は輝度で記されたマークを第二スキャナで読み取る
ことを特徴とする画像読取方法。
【請求項１１】
請求項１０に記載の画像読取方法において、
前記マークの濃度又は輝度とマークの種類とを組み合わせて処理内容を決定する
ことを特徴とする画像読取方法。
【請求項１２】
請求項１０に記載の画像読取方法において、
加熱して消色するインクを用いて前記マークを記し、加熱手段で前記マークを加熱する
ことを特徴とする画像読取方法。
【請求項１３】
請求項１０に記載の画像読取方法において、
特定波長の光に反応して消色するインクを用いて前記マークを記し、光源から該特定波長の光で前記マークを照射する
ことを特徴とする画像読取方法。
【発明の詳細な説明】
【技術分野】
【０００１】
本発明は、複写機、プリンタ、スキャナなどのデジタルデータ処理がなされる画像読取装置及び画像読取方法に関する。
【背景技術】
【０００２】
従来、複写機、プリンタ、スキャナなどの画像読取装置では、デジタルデータ処理がなされている。そして、ファクシミリ機能、プリンタフォーマット機能及び電子画像ファイル機能などの各種機能を複写機能に併せ持たせた、複合処理が実行可能な画像処理システムが開発されている。
近年、官公庁やオフィス内の文書量の増大に伴い、文書の種類が多くなり、効率的なファイリング方法を行うことができる電子画像ファイル機能を有する画像処理システムが開発されている。例えば、複写機の操作パネルを使用してコピー機能やスキャナ機能を発揮させる画像処理システムが周知技術として知られている。コピー機能としては、片面又は両面の設定、カラー又はモノクロの設定、コピー部数の設定、及び変倍率の設定などが挙げられる。スキャナ機能としては、読取解像度の設定などが挙げられる。
また、例えば、マークシート形式で処理モードを一覧出力し、出力されたマークシートを処理モードの設定変更シートとして処理可能な画像処理システムが知られている（例えば、特許文献１参照）。
【０００３】
【特許文献１】特許第３３０５０１９号公報
【発明の開示】
【発明が解決しようとする課題】
【０００４】
しかし、従来のコピー機能やスキャナ機能を有する画像読取装置では、設定可能な全ての処理モードを１画面に表示することができず、幾度も画面を切り替えたり、スクロールしたりしなければならず、操作性に問題があった。
また、特許文献１に開示される画像読取装置では、操作パネル画面での設定を行わなくて済むが、設定を確認又は変更する度にマークシートを出力する必要があり作業性に問題があった。
そこで、本発明は上記問題点に鑑みてなされたものであり、その課題は、コピー機能やスキャナ機能を発揮させる際に操作性及び作業性に優れている画像読取装置及び画像読取方法を提供することを目的としている。
【課題を解決するための手段】
【０００５】
上記課題を解決する手段である本発明の特徴を以下に挙げる。
本発明の画像読取装置は、原稿の表面情報を読み取る第一スキャナと、原稿の裏面情報を読み取る第二スキャナと、を備えた画像読取装置において、第二スキャナで読み取られた原稿の裏面情報を認識して処理内容を決定する認識手段を備えていることを特徴とする。
また、本発明の画像読取装置は、さらに、前記認識手段は、第二スキャナで読み取った裏面情報に記されたマークを認識して処理内容を決定する手段であることを特徴とする。
また、本発明の画像読取装置は、さらに、前記処理内容を記憶する記憶手段を備えていることを特徴とする。
【０００６】
また、本発明の画像読取装置は、さらに、前記処理内容を変更する変更手段を備えていることを特徴とする。
また、本発明の画像読取装置は、さらに、前記裏面情報に基づいて選択された処理内容を表示するための表示手段を有することを特徴とする。
また、本発明の画像読取装置は、さらに、他の機器の処理内容を決定するために、他の機器を接続又は内蔵するためのインターフェースが設けられていることを特徴とする。
また、本発明の画像読取装置は、さらに、ネットワークに接続するためにインターフェースが設けられていることを特徴とする。
また、本発明の画像読取装置は、さらに、画像読取専用装置であることを特徴とする。
【０００７】
本発明の複写機、プリンタ、ファクシミリ又はこれらの複合機は、上記のいずれかに記載の画像読取装置を搭載していることを特徴とする。
本発明の画像読取方法は、前記裏面情報として、所定範囲の濃度又は輝度で記されたマークを第二スキャナで読み取ることを特徴とする。
また、本発明の画像読取方法は、さらに、前記マークの濃度又は輝度とマークの種類とを組み合わせて処理内容を決定することを特徴とする。
また、本発明の画像読取方法は、さらに、加熱して消色するインクを用いて前記マークを記し、加熱手段で前記マークを加熱することを特徴とする。
また、本発明の画像読取方法は、さらに、特定波長の光に反応して消色するインクを用いて前記マークを記し、光源から該特定波長の光で前記マークを照射することを特徴とする。
【発明の効果】
【０００８】
上記解決する手段としての画像読取装置では、原稿の表面情報を読み取る第一スキャナと、原稿の裏面情報を読み取る第二スキャナと、を備えた画像読取装置において、第二スキャナで読み取られた原稿の裏面情報を認識して処理内容を決定する認識手段を備えているので、コピー機能やスキャナ機能を発揮させる際に自動的に処理されるので、操作性及び作業性に優れている。また、裏面情報として、所定範囲の濃度又は輝度で記されたマークを第二スキャナで読み取るようにすると、マークの種類によって処理内容を分類することができる。
【発明を実施するための最良の形態】
【０００９】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１０】
図１は、本発明の画像読取装置の一実施形態を示している。この図に示すように、画像読取装置Ｚは、原稿の表面情報を読み取る光学式の第一スキャナ１と、原稿の裏面情報を読み取る光学式の第二スキャナ２とを備えた構成にされている。まず、第一スキャナ１の構成について説明する。第一スキャナ１は、原稿が載置されるコンタクトガラス１１を有しており、このコンタクトガラス１１の下方には、反射ミラー１２と照明ランプ１３とが搭載された第一走行体１４が副走査方向（Ａ方向）に移動自在に設けられている。第一走行体１４からの光は、２個の反射ミラー１５を有する第二走行体１６に入射する。この第二走行体１６では２個の反射ミラー１５により光路が１８０度に折り返される。この第二走行体１６は、副走査方向Ａに移動自在に設けられている。この第二走行体１６からの光は、結像レンズ１７を介してＣＣＤやＣＯＭＳなどの撮像素子１８に入射する。
【００１１】
第一走行体１４と第二走行体１６とには、走行体モータ１９からプーリ又はワイヤなどを介して駆動力が伝達される。第一走行体１４は第二走行体１６の２倍の移動速度で副走査方向に移動自在にされている。このように２機の走行体１４，１６が移動することにより、コンタクトガラス１１に載置された原稿Ｐの画像が読み取られる。この第二スキャナ２による原稿Ｐの表面の読取走査は、原稿固定モードであるブックモードの設定下で実行されるが、画像読取装置Ｚには、ブックモードの他に原稿搬送モードであるＡＤＦモードが設定されている。これらのモードは、切替え自在な動作モードとして設定されている。このＡＤＦモードの設定下では、図中右端に破線で図示するように、２機の走行体１４，１６をホームポジションなる停止読取位置Ｂに配置した状態で、ＡＤＦ（原稿自動送り装置）３により原稿Ｐを副走査方向に搬送して画像データを読み取る。
【００１２】
このＡＤＦ３は、原稿トレイ３１、ピックアップローラ３２、一対のレジストローラ３３、搬送ドラム３４、搬送ローラ３５、及び排紙ローラ３６などを備えている。そして、ＡＤＦ３により、原稿Ｐは、停止読取位置Ｂを通過するように副走査方向に搬送されて排紙トレイ３７に排紙される。この排紙トレイ３７は原稿圧板３８の上面に形成されており、この原稿圧板３８はコンタクトガラス１１上に開閉自在に設けられている。ＡＤＦ３のピックアップローラ３２、レジストローラ３３、搬送ドラム３４及び搬送ローラ３５には、ステッピングモータからなる不図示の給紙モータがギヤを介して連結されている。
【００１３】
次に、第二スキャナ２について説明する。この第二スキャナ２は、ＡＤＦ３中の搬送ドラム３４より原稿搬送方向下流であって搬送ローラ３５より上流側に位置する読取位置Ｃに、密着型イメージセンサ２１と白色ローラ２２とを配設することにより構成される。ここで、密着型イメージセンサ２１は撮像素子１８側とは逆側の原稿面（表面）の読取りを行うもので、搬送経路上方側に下向きに配設されている。この密着型イメージセンサ２１は、原稿面を照明するランプや等倍結像レンズアレイやセンサアレイを一体化してなる等倍型の光電変換素子を有している。搬送経路Ｔ（図中、二点鎖線）を挾んで反対側に位置する白色ローラ２２は密着型イメージセンサ２１による読取時のシェーディング補正用白色部材としても使用される。
【００１４】
画像読取装置Ｚの側面には、他の機器の処理内容を決定するために、他の機器が接続又は内蔵されるインターフェースＩＦ１が設けられている。これにより、他の画像読取装置の処理内容を決定することができる。そのため、例えば、画像読取装置Ｚで読み取った画像情報をインターフェースＩＦ１を介して接続されたプリンタを用いてプリントアウトすることができる。また、他の機器としてモニターなどの表示手段を接続すれば、裏面情報に基づいて選択された後述する処理内容（図５参照）を表示することができる。このように表示手段を接続すれば、予め処理内容をユーザーが視覚的に確認することができ、設定ミスを予め修正することが可能である。
なお、本実施形態の画像読取装置Ｚの側面には、不図示のスクリーンが設けられ表示手段が搭載されている。そのため、別途、表示手段を設ける手間を省くことができ、また、省スペース化を図ることができる。
【００１５】
また、画像読取装置Ｚの側面には、ネットワークに接続するためにインターフェースＩＦ２が設けられている。これにより、例えば、電気通信回線を通じて遠方のプリンタで出力を行うことができる。
なお、上述した画像読取装置Ｚは画像読取専用装置として開示されているが、複写機、プリンタ、ファクシミリ、及びこれらの複合機などの画像形成装置に搭載するようにしてもよい。
【００１６】
次に、裏面情報であるマークの認識方法について説明する。図２及び図３にそれぞれ示すように、原稿Ｐの表面及び裏面には画像が描かれている。図３に示すように、裏面のヘッダ部には、表面画像の属性情報として、特定濃度又は特定輝度によるマーク（○印）が記されている。このマークの記載には、特開２００１−１７１２１３号公報に開示されるインクを用いてもよい。このインクを用いることにより、裏面画像を読み取った後に原稿Ｐを加熱することで、消色することが可能となる。この場合、消色に使う加熱手段は密着型イメージセンサ２１よりも原稿搬送路Ｔの下流側に設けられる。この方法によれば、マークを記載してもマークを消せるので、原稿の記載エリアを減少させることはない。
なお、特定波長の光に反応して消色するインクを用いて前記マークを記し、光源から該特定波長の光で前記マークを照射するようにしてもよい。例えば、紫外線や赤外線を用いて行うことができる。この場合はマーク検知用の光源として、例えば、ハロゲンランプやキセノンランプ、紫外線・赤外線発光ダイオードなどを必要とする。
【００１７】
図３に示すようなマークは原稿裏面に記されるので、原稿表面の裏写りによる誤検知の可能性がある。そこで、図４に示すようなマーク検知閾値の最大値及び最小値を決定し、裏写りする程度の薄い濃度のマークを認識することができないように閾値の最小値を決定する。すなわち、特定範囲の濃度で記されたマークのみが認識されるようにする。なお、濃度でなく、輝度によって同様の認識を行ってもよい。
【００１８】
図５は、マークの濃度又は輝度と、マークの種類との組み合わせによって、処理内容を分類した例を示している。各処理内容は装置内の記憶手段に記憶されている。同じマーク形状でも濃度又は輝度を変更することで処理内容を分類することができ、少ないマークの種類で処理モードを的確に分類することができる。また、画像読取装置が複合機に搭載された場合、濃度又は輝度がＡ又はＢであればコピー動作、Ｃであればスキャナアプリというように、画像読取装置は複合機におけるアプリケーション動作の分類を行う。
ここで、分類１は、原稿の片面のみを読み取り、コピー用紙の片面にコピーする条件であり、印刷部数は１００部とされている。また、コピー用紙の左上にホチキスで止めたり、２穴のパンチで穴明けしたりする余白が残される印刷条件にされている。
分類２は、原稿の片面のみを読み取り、コピー用紙の両面にコピーする条件であり、印刷部数は１００部とされている。また、コピー用紙の左上にホチキスで止めたり、３穴のパンチで穴明けしたりする余白が残される印刷条件にされている。
【００１９】
分類３は、原稿の両面を読み取り、コピー用紙の片面にコピーする条件であり、印刷部数は１００部とされている。また、コピー用紙の左上にホチキスで止める余白が残される印刷条件にされている。パンチでの穴明けは想定していない。
分類４は、原稿の両面を読み取り、コピー用紙の両面にコピーする条件であり、印刷部数は５０部とされている。また、コピー用紙の左上にホチキスで止める余白が残される印刷条件にされている。パンチでの穴明けは想定していない。
分類５は、スキャナに画像データとして取り込む場合の条件が記載されており、具体的には解像度が２００ｄｐｉであり、カラー画像として読み込む条件である。
分類６は、スキャナに画像データとして取り込む場合の条件が記載されており、具体的には解像度が２００ｄｐｉであり、モノクロ画像として読み込む条件である。
【００２０】
図６は、画像読取装置の処理の流れの第１の例を示している。まず、ステップＳ１では、表示手段である操作パネルにおいて、マーク認識モードを実行するかどうかが判断される。例えば、ユーザーが操作パネル上の画面を指先で押圧することでマーク認識モードを実施するかどうかを選択する。すると、画像読取装置内のＣＰＵが、選択したコマンドの種類を判断し、次のステップに進む。マーク認識モードが選択された場合には、ステップＳ２に進み、画像読取装置にセットされた原稿画像の読取りが開始される。第二スキャナ２（図１記載）で１枚目の原稿の裏面に記載されたマークが読み取られると、ステップＳ３において、マーク認識手段で処理内容を選択するためのマークとして認識される。マーク認識手段は、予め処理内容のパターンを記録した記憶手段、及びマークと記憶手段に記憶されたパターンとを比較し、使用する処理内容のデータを呼び出すＣＰＵ、及び呼び出したデータを一時的に保管するバッファメモリなどを用いて構成されている。このように認識手段を設ければ、操作パネルに直接条件を入力する手間を省くことができるなど、コピー機能やスキャナ機能を発揮させる際に操作性及び作業性に優れている。
また、画像読取装置には、処理内容を変更する変更手段が設けられている。これにより、記憶手段に記憶するデータを書き換えることができる。例えば、寒冷地など、周囲条件の異なる地域で使用する場合に、有効である。
【００２１】
認識されたマークは、ステップＳ４において予め記憶手段に記憶されている設定内容と照合され、ステップＳ５においてその結果が操作パネルへ表示される。ここで、表示された設定内容に間違いがなければ、ステップＳ６で設定内容の決定が行われ、ステップＳ８において、この決定内容で画像読取装置による処理が実行される。なお、ステップＳ２でマーク認識モードでないモードが一定時間選択されない場合、ステップＳ７に進み、キー入力操作に切り替わる。そして、このキー入力操作の内容で、ステップＳ８の画像読取装置による処理が行われる。
【００２２】
図７は、画像読取装置による処理の流れ第２の例を示している。まず、ステップＳ１では、操作パネルにおいて、マーク認識モードを実行するかどうかが判断される。マーク認識モードが選択された場合には、ステップＳ２に進み、画像読取装置にセットされた原稿画像の読取りが開始される。第二スキャナ２（図１記載）で１枚目の原稿の裏面に記載されたマークが読み取られると、ステップＳ３において、マーク認識部で表面の属性情報として認識される。認識されたマークは、ステップＳ４において予め記憶手段に記憶されている処理内容と照合され、ステップＳ５においてその結果が操作パネルへ表示される。ここで、表示された設定内容に間違いがなければ、ステップＳ６で設定内容に変更があるか否かが判断される。
【００２３】
変更がない場合には、ステップＳ７において設定内容の決定が行われ、ステップＳ１０において、この決定内容で画像読取装置による処理が実行される。一方、変更があれば、ステップＳ８において設定内容の変更が行われる。変更後の内容は、操作パネル上で行ってもよいし、キー入力操作で行ってもよい。そして、ステップＳ１０において、変更後の内容で画像読取装置による処理が実行される。なお、ステップＳ２でマーク認識モードが一定時間選択されない場合、ステップＳ９に進み、キー入力操作に切り替わる。そして、このキー入力操作の内容で、ステップＳ１０の画像読取装置による処理が行われる。
【図面の簡単な説明】
【００２４】
【図１】図１は、本発明の画像読取装置の一実施形態を示す説明図である。
【図２】図２は、原稿の表面を示す説明図である。
【図３】図３は、原稿の裏面を示す説明図である。
【図４】図４は、認識されるマークの濃度の閾値についての説明図である。
【図５】図５は、マークの濃度又は輝度と、マークの種類との組み合わせによって、処理内容を分類した例を示す説明図である。
【図６】図６は、画像読取装置の処理の流れの第１の例を示す説明図である。
【図７】図７は、画像読取装置の処理の流れの第２の例を示す説明図である。
【符号の説明】
【００２５】
１  第一スキャナ
１１  コンタクトガラス
１２  反射ミラー
１３  照明ランプ
１４  第一走行体
１５  反射ミラー
１６  第二走行体
１７  結像レンズ
１８  撮像素子
１９  走行体モータ
２  第二スキャナ
２１  密着型イメージセンサ
２２  白色ローラ
３  ＡＤＦ（原稿自動送り装置）
３１  原稿トレイ
３２  ピックアップローラ
３３  レジストローラ
３４  搬送ドラム
３５  搬送ローラ
３６  排紙ローラ
３７  排紙トレイ
３８  原稿圧板
Ａ  副走査方向
Ｂ  停止読取位置
Ｃ  読取位置
ＩＦ１，ＩＦ２  インターフェース
Ｐ  原稿
Ｔ  原稿搬送路
Ｚ  画像読取装置
【図１】
2009159552.tif 000003
【図２】
2009159552.tif 000004
【図３】
2009159552.tif 000005
【図４】
2009159552.tif 000006
【図５】
2009159552.tif 000007
【図６】
2009159552.tif 000008
【図７】
2009159552.tif 000009